(57)【要約】【課題】ヒートシンクに関し、送風機のケーシングの外周または外周の一部に渡って伝熱部材を固着することにより、風圧の高いケーシング部で空気との熱交換面積を大きくできるため、冷却性能の向上が可能とする。【解決手段】ケーシング（６０）外周でかつ、羽根と同じ高さに固着され、発熱部品からの熱を伝える熱輸送部材（６２）と、羽根と駆動モータを有するカバーおよび良熱伝導材料で作られるケーシングを持った遠心式送風機部で構成され、ヒートシンク部の底面のベース厚さを熱輸送部材（６２）との熱交換部付近を厚くし、遠ざかるに従い薄く変化させたことを特徴とする。【選択図】図２８
2010177680.tif 000002
【特許請求の範囲】
【請求項１】
ケーシング外周またはケーシング外周の一部でかつ、羽根と同じ高さに固着され、発熱部品からの熱を伝える熱輸送部材と、羽根と駆動モータを有するカバーおよび良熱伝導材料で作られるケーシングを持った遠心式送風機部で構成され、ヒートシンク部の底面のベース厚さを熱輸送部材との熱交換部付近を厚くし、遠ざかるに従い薄く変化させたことを特徴とするヒートシンク。
【請求項２】
ケーシング外周またはケーシング外周の一部でかつ、羽根と同じ高さに固着され、発熱部品からの熱を伝える熱輸送部材と、羽根と駆動モータおよび良熱伝導材料で作られるケーシングを持った横流式送風機部で構成され、ヒートシンク部の底面のベース厚さを熱輸送部材との熱交換部付近を厚くし、遠ざかるに従い薄く変化させたことを特徴とするヒートシンク。
【請求項３】
送風機の吐き出し口部を除くケーシングの内周の側面およびヒートシンク部の外郭内面部に凹凸形状の放熱部を設けたことを特徴とする請求項１又は２に記載のヒートシンク。
【請求項４】
送風機の吐き出し口近傍に吐き出し風の方向に対しフィン間を結んだ線が平行になるようにフィンを配設したヒートシンク部を備えたことを特徴とする請求項１又は２に記載のヒートシンク。
【請求項５】
送風機の吐き出し口近傍に吐き出し風の方向に対しランダムにフィンを配設したヒートシンク部を備えたことを特徴とする請求項１又は２に記載のヒートシンク。
【請求項６】
送風機の吸い込み口に、外部空気と内部空気の吸い込み割合を決めるためのガイドを設けたことを特徴とする請求項１又は２に記載のヒートシンク。
【請求項７】
送風機の吐き出し口付近にあるヒートシンク部の送風機の低風圧側の側面に風の通過する孔を配設したことを特徴とする請求項１又は２に記載のヒートシンク。
【請求項８】
発熱部品と、該発熱部品からの熱を伝える熱輸送部材と、該熱輸送部材を保持する保持部と、前記発熱部品とは実装位置の異なっている請求項１〜７のいずれか１項に記載のヒートシンクを搭載した情報処理装置。
【発明の詳細な説明】
【技術分野】
【０００１】
本発明は、ヒートシンクに関し、詳しくは、主としてノートブック型コンピュータ等の携帯用電子機器等で使用されているマイクロプロセッサ等の集積回路パッケージやハードディスク装置からの熱を逃がすために使用されるヒートシンクに関するものである。
【０００２】
近年の携帯用電子機器等においては処理速度の高速化，および処理能力のアップのために高性能のマイクロプロセッサが搭載されており、このマイクロプロセッサから発生する熱も他の電子部品から発生される熱に比べ高い。このため、ヒートシンクを用いて発熱量の高いマイクロプロセッサを主として部分的に空冷する局所冷却が行われている。
【背景技術】
【０００３】
その局所冷却を行うためのヒートシンクとして、冷却能力のアップのために自然空冷によるヒートシンクの上に強制空冷を行うための冷却ファンを積み重ねたものがあり、また装置のダウンサイジングに伴って、特開平６−２６８１２５号公報（特許文献１）に示されるように、ヒートシンクの中に冷却ファンを埋め込んだものもある。
【０００４】
しかし、特許文献１で示される従来技術では、発熱部品の上にファンが内蔵されたヒートシンクを取り付けているので、高さが高くなる欠点があった。
このため、ヒートシンクから離れた位置に実装された発熱部品をヒートパイプでつないで、このヒートパイプを使って発熱部品から発生された熱を伝熱し、ヒートシンクで冷却するヒートパイプを使った技術が知られている。この場合では、発熱部品とヒートシンクを例えば横並び配置とすることができるので、高さを低くすることができる。
【０００５】
このヒートパイプを用いた従来技術においても、近年の発熱部品の高発熱に対処するために、高冷却性能を有するヒートシンクの改良が要求されており、ヒートシンクに冷却ファンを組み合わせて、ヒートシンクを自然空冷から強制空冷で冷却する技術が知られている。この従来技術におけるヒートシンクと冷却ファンとの組み合わせ方は、既存のヒートシンクの先端に既存の冷却ファンを積み重ねるように取り付けられたものであった。そして、ヒートシンクから離れた位置に実装された発熱部品をヒートパイプでつないで、この伝熱部材を使って発熱部品から発生された熱を伝熱し、冷却ファンにより強制空冷となったヒートシンクで冷却を行うものである。
【先行技術文献】
【特許文献】
【０００６】
【特許文献１】特開平６−２６８１２５
【発明の概要】
【発明が解決しようとする課題】
【０００７】
しかしながら、このヒートパイプを用いた従来技術では、ヒートシンクに冷却ファンを積み重ねて配置するために、冷却ファンを搭載するためのスペースをヒートシンクの他に設ける必要があった。
更に、このヒートパイプを用いた例では、ヒートパイプの全周をヒートシンクの底板で囲んでいたこと、およびヒートシンクの底板の厚みよりヒートパイプの直径が大きかったとの理由により、ヒートシンクの高さ内でのヒートパイプの取り付けのためのスペースが大きくなり、ヒートシンク内に埋設する冷却ファンの設置スペースを確保することが難しくなる。この冷却ファンの設置スペースがヒートシンク内に確保できないことはヒートシンクの高さを超えて冷却ファンが設置されることとなり、ヒートシンクの薄型に悪影響を及ぼすと共に、装置の薄型化を実現できないものである。
【０００８】
仮に、ヒートシンクの高さを高くして冷却ファンを埋設したとしても、近年ますます薄型化されつつある携帯用情報処理装置で規格されている定められた高さ制限に対応することができない。
また、発熱部品の上に冷却ファンが埋め込まれたヒートシンクを搭載するのでは、発熱部品の上に必ずヒートシンク分のスペースが必要となる。更に、発熱部品が実装されたプリント基板上にヒートシンクを実装しようにも、近年の装置の薄型化に伴った部品実装の高密度化によりヒートシンク実装のためのスペースを確保することが難しい状況にある。
【０００９】
従って、本発明はヒートシンクの薄型化を実現することを目的とするものである。また、本発明の別の目的は装置の薄型化も実現することである。
【課題を解決するための手段】
【００１０】
本発明によれば、ケーシング外周またはケーシング外周の一部でかつ、羽根と同じ高さに固着され、発熱部品からの熱を伝える熱輸送部材と、羽根と駆動モータを有するカバーおよび良熱伝導材料で作られるケーシングを持った遠心式送風機部で構成され、ヒートシンク部の底面のベース厚さを熱輸送部材との熱交換部付近を厚くし、遠ざかるに従い薄く変化させたことを特徴とするヒートシンクが提供される。すなわち、この発明によれば、送風機のケーシングの外周または外周の一部に渡って伝熱部材を固着することにより、風圧の高いケーシング部で空気との熱交換面積を大きくできるため、冷却性能の向上が可能となる。また、高温の熱交換部の熱を他方への拡散、伝導が行なえるため、冷却効率の向上が可能となる。
【００１１】
また、本発明によれば、ケーシング外周またはケーシング外周の一部でかつ、羽根と同じ高さに固着され、発熱部品からの熱を伝える熱輸送部材と、羽根と駆動モータおよび良熱伝導材料で作られるケーシングを持った横流式送風機部で構成され、ヒートシンク部の底面のベース厚さを熱輸送部材との熱交換部付近を厚くし、遠ざかるに従い薄く変化させたことを特徴とするヒートシンクが提供される。すなわち、この発明によれば、横流式の送風機を採用したため、風の吸排気が側面で行えるため、薄型化が可能となる。また、高温の熱交換部の熱を他方への拡散、伝導が行なえるため、冷却効率の向上が可能となる。
【００１２】
送風機の吐き出し口部を除くケーシングの内周の側面およびヒートシンク部の外郭内面部に凹凸形状の放熱部を設けたことを特徴とする。これによれば、送風機の風圧が最も高いところと高温の熱交換部に最も近いところで、凹凸状の放熱部によって乱流を発生するので冷却効率の向上が可能となる。
【００１３】
送風機の吐き出し口近傍に吐き出し風の方向に対しフィン間を結んだ線が平行になるようにフィンを配設したヒートシンク部を備えたことを特徴とする。これによれば、風の流れに対してフィンによる抵抗が小さくなるため通風量が増えることにより冷却効率の向上が可能となる。
【００１４】
送風機の吐き出し口近傍に吐き出し風の方向に対しランダムにフィンを配設したヒートシンク部を備えたことを特徴とする。これによれば、風がランダムに配置したフィンに当たるため、冷却効率の向上が可能となる。
【００１５】
送風機の吸い込み口に、外部空気と内部空気の吸い込み割合を決めるためのガイドを設けたことを特徴とする。これによれば、比較的温度の低い外部空気を取り入れることで冷却効率を上げ、また、機器内部の電子部品やユニットの発熱によって高温になった内部空気を排出できるため、機器の冷却効率の向上が可能となる。
【００１６】
送風機の吐き出し口付近にあるヒートシンク部の送風機の低風圧側の側面に風の通過する孔を配設したことを特徴とする。これによれば、熱交換に関係のない場所で送風機からの風が通過する開口面積を大きくすることができるため冷却性能の向上が可能となる。
【００１７】
更に、本発明によれば、上記のヒートシンクを搭載した情報処理装置が提供される。
【発明の効果】
【００１８】
請求項１に係る発明によれば、送風機のケーシングの外周に熱輸送部材を固着したことにより風圧の高いケーシング部で空気との熱交換面積を大きくできるため冷却性能の向上が可能となる。また、請求項２に係る発明によれば、ケーシングの外周に熱輸送部材を固着した送風機に横流式を採用したことにより風の吸排気が側面部で行えるため、薄型化が可能となる。また、これらの請求項１又は請求項２に係る発明によれば、熱交換部のベース厚さを傾斜させたことにより、熱交換部の高温の熱を他方へ拡散、伝導ができ、冷却効率の向上が可能となる。
【００１９】
また、請求項３に係る発明によれば、送風機のケーシングの内面に凹凸状の放熱部を設けたことにより、該凹凸状の放熱部で乱流を発生するため、冷却効率の向上が可能となる。また、請求項４に係る発明によれば、送風機の吐き出し口近傍に設けられた放熱フィンを、その放熱フィン間を結んだ線が吐き出し風の方向と平行になるように配置したことにより、通風量が増え、冷却効率の向上が可能となる。また、請求項５に係る発明によれば、送風機の吐き出し口近傍に設けられた放熱フィンをランダムに配置したことにより、乱流が発生し、冷却効率の向上が可能となる。
【００２０】
また、請求項６に係る発明によれば、送風機の吸い込み口に、外部空気と内部空気の吸い込み割合をきめるためのガイドを設けたことにより、比較的温度の低い筐体外部の空気を取り入れることで、機器の冷却効率の向上が可能となる。
【００２１】
また、請求項７に係る発明によれば、送風機の吐き出し口付近にある冷却フィン形成部の送風機の低風圧側の側面に風の通過する孔を設けたことにより、熱交換に関係のない場所で送風機からの風が通過する開口面積を大きくすることができるため冷却効率の向上が可能となる。
【図面の簡単な説明】
【００２２】
【図１】本発明の第１の実施の形態を示す図で、（ａ）は斜視図、（ｂ）は上面図、（ｃ）は正面図、（ｄ）は側面図である。
【図２】本発明の第２の実施の形態を示す分解斜視図である。
【図３】本発明の第３の実施の形態を示す図で、（ａ）は斜視図、（ｂ）は図（ａ）のｂ−ｂ線における断面図である。
【図４】本発明の第４の実施の形態を示す図である。
【図５】本発明の第５の実施の形態を示す図である。
【図６】本発明の第６の実施の形態を示す図である。
【図７】本発明の第７の実施の形態を示す図である。
【図８】本発明の第８の実施の形態を示す図で、（ａ）は組立斜視図、（ｂ）は分解斜視図、（ｃ）はベンチュリの他の例の斜視図である。
【図９】本発明の第９の実施の形態を示す図で、（ａ）はヒートシンク本体の正面図、（ｂ）は図（ａ）のＺ矢視図、（ｃ）は（ｂ）のＹ矢視図である。
【図１０】本発明の第９の実施の形態を示す図で、（ａ）はカバーの上面図、（ｂ）正面図、（ｃ）は側面図、（ｄ）は組立斜視図である。
【図１１】本発明の第９の実施の形態の使用状態を示す図である。
【図１２】本発明の第１０の実施の形態を示す図である。
【図１３】本発明の第１１の実施の形態を示す図で、（ａ）は組立斜視図、（ｂ）は使用状態を示す図である。
【図１４】本発明の第１２の実施の形態を示す図で、（ａ）は分解斜視図、（ｂ）は使用状態を示す図、（ｃ）は組立断面図である。
【図１５】本発明の第１３の実施の形態を示す図で、（ａ）はカバーを除いた状態の斜視図、（ｂ）は組立斜視図、（ｃ）は動作説明図である。
【図１６】本発明の第１４の実施の形態を示す図で、（ａ）は組立斜視図、（ｂ）〜（ｄ）は（ａ）の変形例を示す図である。
【図１７】本発明の第１５の実施の形態を示す図で、（ａ）は組立斜視図、（ｂ）は（ａ）図の断面図、（ｃ）は（ａ）図の変形例をを示す図である。
【図１８】本発明の第１６の実施の形態を示す図で、（ａ）は組立斜視図、（ｂ）は（ａ）図のａ−ａ線における断面図である。
【図１９】本発明の第１７の実施の形態を示す図で、（ａ）は組立斜視図、（ｂ）は（ａ）図のｂ−ｂ線における断面図、（ｃ）は変形例を示す斜視図である。
【図２０】本発明の第１８の実施の形態を示す斜視図である。
【図２１】本発明の第１９の実施の形態を示す図であり、（ａ）は斜視図、（ｂ）はケーシングの斜視図、（ｃ）は（ａ）図の一部断面図である。
【図２２】本発明の第２０の実施の形態を示す図であり、（ａ）〜（ｅ）は第１２，１４，１５，１６，１９の各実施の形態のケーシングまたは熱交換部材を示す図である。
【図２３】本発明の第２１の実施の形態を示す図である。
【図２４】本発明の第２２の実施の形態を示す図である。
【図２５】本発明の第２３の実施の形態を示す図であり、（ａ）は斜視図、（ｂ）はカバーを除去して示した斜視図である。
【図２６】本発明の第２４の実施の形態を示す図であり、（ａ）は斜視図、（ｂ）は作用説明図である。
【図２７】本発明の第２５の実施の形態を示す図であり、（ａ）はカバーを除去して示した斜視図、（ｂ）は側面図である。
【図２８】本発明の第２６の実施の形態を示す断面図である。
【図２９】本発明の第２７の実施の形態を示す図であり、（ａ）はカバーを除去して示した斜視図、（ｂ）は一部拡大図である。
【図３０】本発明の第２８の実施の形態をカバーを除去して示した平面図である。
【図３１】本発明の第２９の実施の形態をカバーを除去して示した平面図である。
【図３２】本発明の第３０の実施の形態を示す図であり、（ａ）は斜視図、（ｂ）は使用状態を示す図である。
【図３３】本発明の第３０の実施の形態の使用方法を説明するための図である。
【図３４】本発明の第３１の実施の形態をカバーを除去して示した斜視図である。
【図３５】本発明の第３２の実施の形態をカバーを除去して示した斜視図である。
【図３６】本発明の第３３の実施の形態を示す斜視図である。
【図３７】本発明の第３４の実施の形態を示す斜視図である。
【図３８】本発明の第３５の実施の形態を示す斜視図である。
【図３９】本発明の第３６の実施の形態を示す図であり、（ａ）は斜視図、（ｂ）はファンの斜視図、（ｃ）は断面図、（ｄ）はフィンの他の例を示す図である。
【図４０】本発明の第３７の実施の形態を示す図で、（ａ）はカバーを除去した状態の斜視図、（ｂ）はカバーを除去した状態の平面図、（ｃ）は機器内での実装位置を説明するための図である。
【図４１】本発明の第３８の実施の形態を示す図で、（ａ）はカバーを除去した状態の斜視図、（ｂ）は（ａ）図のｂ−ｂ線における断面図、（ｃ）はフィン高さと性能の関係図である。
【図４２】本発明の第３９の実施の形態を示す斜視図である。
【図４３】本発明の第４０の実施の形態を示す斜視図である。
【図４４】本発明の第４１の実施の形態を示す図で、（ａ）は裏面から見た斜視図、（ｂ）は（ａ）図のｂ−ｂ線における断面図、（ｃ）はすきまの大小と性能の関係を示した性能曲線図である。
【図４５】本発明の第４２の実施の形態を示す図で、（ａ）および（ｂ）はそれぞれ分解斜視図である。
【発明を実施するための形態】
【００２３】
図１は本発明の第１の実施の形態を示す図で、（ａ）は斜視図、（ｂ）は上面図、（ｃ）は正面図、（ｄ）は側面図である。同図において１０はヒートシンク本体、１１は特許請求の範囲における伝熱部材に対応したヒートパイプ、１２は冷却ファンである。そして、ヒートシンク本体は矩形板状をなし、その上方に冷却ファン１２が例えばヒートシンク本体１０の上に搭載されるカバーに軸を固定されることで支持された状態で空間１０ａ内に埋設されている。また、ヒートシンク本体１０の対向する２辺を横切ってヒートパイプ１１が挿入されるトンネル状のヒートパイプ収容部１３が形成されている。このヒートパイプ収納部１３が特許請求の範囲における保持部に対応する。
【００２４】
冷却ファン１２がヒートシンク本体１０に埋設される部分に相当する空間１０ａの下に位置するヒートパイプ収納部１３はヒートパイプ１１が露出するようにトンネル状部分が部分的に削除されている。更に、その削除された部分および冷却ファン１２を埋設するための空間１０ａを除いたヒートシンク本体の表面上にはピン状の多数のフィン１４が立設されている。
【００２５】
このヒートパイプ１１を収納するトンネル状部分が部分的に削除されていることにより、ヒートシンク本体１０内に埋設される冷却ファンを削除したトンネル状部分の厚み分だけ深く埋設することができる。この厚み分がネックとなって従来冷却ファンが埋め込まれたヒートシンクを装置に実装することが難しかったが、冷却ファンをより深く埋設することができる本発明によれば、冷却ファンの表面より突出するフィンを削ることでヒートシンクをより薄型にすることが可能となり、あらかじめ規格化された実装上の高さ方向の制限に対応して装置に実装することができる。
【００２６】
ヒートパイプ１１にはＭＰＵやハードディスク等の発熱部品が接続されており、その接続はヒートパイプ１１に発熱部品の放熱形状に応じた形状を有する熱伝導製に優れた金属等で形成されたプレートを接続し、発熱部品からの熱はそのプレートを介してヒートパイプ１１に伝熱される。また、発熱部品とヒートシンクは例えばプリント基板上で離れた位置に実装されており、発熱部品から離れた位置にヒートシンクを実装することによって互いの設置位置の自由度が高くなる。ヒートパイプ１１を経由して発熱部品から発生された熱がヒートシンクへと伝わり、そして、冷却ファン１２を駆動することにより冷却ファン１２からの風がヒートシンク本体１０およびフィン１４を冷却し、同時にヒートパイプ収納部１３から露出しているヒートパイプ１１に直接冷却ファン１２からの風を当てることができる。しかも発熱部品とヒートシンクを接続するヒートパイプ１１においてもその途中で放熱作用が期待できる。このようにして発熱部品を効率良く冷却することができる。
【００２７】
なおヒートシンク本体１０はアルミニュウム等の高熱伝導材料または熱伝導性の良い樹脂（例えば、ウエイクフィールドエンジニアリング（株）製の商品名Ａｍｏｃｏ  Ｘｙｄａｒ樹脂にカーボンファイバを混入したもの）を用い、金属の場合はダイカスト、鍛造、押し出し等の加工方法により、樹脂の場合は射出成形により形成される。また、フィン１４の形状は図においては円柱状であるが、角柱状またはその他の形状であってもよい。
【００２８】
図２は本発明の第２の実施の形態を示す斜視図である。本第２の実施の形態は、高熱伝導材料または熱伝導性の良い樹脂で形成された箱１５の対向する側面にヒートパイプ挿通用の孔１６と、冷却ファン１２の風の吸い込みまたは吐き出し用のスリット１７を設けている。そして、箱１５に前述の第１の実施の形態のヒートシンク本体１０を収容してヒートパイプ１１を保持している。
【００２９】
なお、図２に示すように箱１５に収納されるヒートシンク１０’にヒートパイプ収納部１３は交差する形で設けておき、ヒートパイプ１１を交差してヒートシンク本体１０’に取り付けても良い。その場合は、箱１５にもヒートパイプ１１を交差して収納するための孔１６を対向する側面に追加しておく必要がある。そして、ヒートシンク１０’において、ヒートパイプ１１が交差する部分は冷却ファン１２を埋設するための空間１０’ａを第１の実施の形態と同様に設けておき、更に、ヒートパイプ収納部１３が交差する部分で冷却ファン１２の下に位置する部分は部分的に切除しておく必要がある。
【００３０】
箱１５が金属で形成された場合は板金プレスまたは曲げ加工により、樹脂で形成された場合は射出形成により形成される。また、ヒートパイプ１１の保持は圧入、圧着、接着等により確実に行われ、圧着，接着等の機械的な固定ではサーマルグリースをヒートパイプとヒートシンク本体、箱の隙間に充填することが好ましい。また、冷却ファン１２の風の吸い込み、または吐き出し用のスリット１７は冷却性能または騒音のバランスの良い形状のスリットとし、箱の１面でもあるいは２〜４面に設けても良い。
【００３１】
ヒートシンク本体１０を箱１５に収納することにより、設計者はヒートシンクを一つのユニットとして捉えることができるため、装置に搭載するときのレイアウトとしてのイーメジをつかみやすい。また、箱１５に設けられるスリット１７は、ヒートシンクの周辺に設けられるその他の発熱部品に対して風を意図的に送ることができ、装置全体しての冷却効率がアップする。
【００３２】
図３は本発明の第３の実施の形態を示す図で、（ａ）は斜視図、（ｂ）は（ａ）図のｂ−ｂ線における断面図である。上述した第１の実施の形態では冷却ファン１２をカバーにて支持するとして説明したが、第３の実施の形態では本来冷却ファン１２内に搭載されていたファンモータ駆動用のプリント基板を冷却ファン１２の外部に出し、そして、このプリント基板１８に冷却ファン１２を支持するようにしている。
【００３３】
プリント基板１８は風の通過する通風用の孔１９をブレード１２ａの円周に沿って設け、且つその内側に２本以上のリブ２０によりプリント基板１８の一部（島状部分２１）を残し、該島状部分２１の上面に、ファンモータ２４の駆動回路の一部２４および軸受ハウジング２５を保持させ、下面にファンモータ２４のコイル２２および磁石２３を保持させたものである。
【００３４】
第３の実施の形態では、冷却ファン１２を支持するカバーをプリント基板と兼用しているため、冷却ファン内の従来プリント基板を配置する部分のスペースをも削除することができ、冷却ファンを含めたヒートシンクの更なる薄型化も可能である。
カバーと兼用しているプリント基板１８に冷却ファン１２を支持させるだけでは空きスペースが発生するので、その空きスペースを有効利用するために、従来ファンモータの中に搭載されていた駆動回路の一部をプリント基板の上面に配置することができる。ファンモータを駆動する回路をファンモータ内とプリント基板の上面とに分散して配置することにより、冷却ファンの薄型化も可能である。なおこのプリント基板はヒートシンク本体を収納する箱１５の上蓋としても使われる。
【００３５】
図４は本発明の第４の実施の形態を示す斜視図である。本第４の実施の形態ではファンモータの駆動回路の一部をその上面に搭載したプリント基板１８’に空きスペースがあれば、その空きスペースに冷却ファンの駆動回路の一部２７と、冷却ファンの各種制御用回路２８とを配置することもできる。更に空きスペースがあるのであれば冷却対象装置の回路２９、ファンの駆動電源、制御信号等の授受のためのコネクタ３０等を配置してもよい。これら回路は本来はマザーボード上に実装されていたものであり、プリント基板１８’上に配置することでその分マザーボードを小さくすることができ、装置の小型化が期待できる。
【００３６】
図５は本発明の第５の実施の形態を示す斜視図である。本第５の実施の形態は、図３で示した第３の実施の形態のプリント基板１８の上にカバー３１を設けたものである。このカバー３１はプリント基板１８上に搭載された各種回路部品を保護するため、プラスチック、または表面に絶縁処理を施した板金、または絶縁処理を施したダイキャスト等で形成される。また該カバー３１はプリント基板１８に支持される軸受ハウジング２６をさらに強固に支持するための孔３２が設けられ、且つ冷却ファン１２の風の吸い込みまたは吐き出しのためのエアギャップを確保するように四隅にスペーサ３３が設けられている。
【００３７】
このスペーサ３３はプリント基板１８の上面に例えば接着剤等で固定され、スペーサ３３の高さ分がエアギャップの高さとなる。装置にヒートシンクを搭載する際に、装置の小型化および高密度実装によりヒートシンクの周辺にその他の部品が配置されたとしても、このエアギャップを確保しておくことで、冷却ファン１２に対する風の吸い込みまたは吐き出しが十分に行われる。また、カバー３１に設けられた孔３２に支持される軸受ハウジング２６はほぼこのエアギャップ以上の突出長を有している。
【００３８】
図６は本発明の第６の実施の形態を示す斜視図である。本第６の実施の形態は、第５の実施の形態でのスペーサの形状の変形例を示すものであり、折曲部３３ａまたは円柱３３ｂ等である。特に折曲部３３ａとすることで、冷却ファン１２に対する風の吸い込みまたは吐き出しに方向性を持たせることが可能である。すなわち図６に示すように箱１５に形成されたスリット１７の壁に対応した壁を折曲部３３ａによって塞ぐことで、吸い込み側と吐き出し側とをずらすことができ、風の回り込みを防止することができる。
【００３９】
図７は本発明の第７の実施の形態を示す斜視図である。この箱型カバー３１はプリント基板１８に対して伏せた状態で取り付けられ、スリット１７が形成された箱１５の面と異なる一面以上に長孔３４を設けたものである。スリット１７と長孔３４が形成された面を互いにずらすことにより、吸い込み側と吐き出し側とをずらすことができ、風の回り込みを防止することができる。
【００４０】
図８は本発明の第８の実施の形態を示す図で、（ａ）は組立斜視図、（ｂ）は分解斜視図、（ｃ）はベンチュリの他の例を示す斜視図である。プリント基板１８に支持された冷却ファン１２のブレード深さ方向の円周に沿って、且つそのブレードを囲むようにベンチュリ３５が設けられている。このベンチュリ３５は冷却ファン１２の静圧を高めるためのもので、風の流れを整え、渦流損失を減らして冷却ファンを効率よく駆動させることができる。
【００４１】
ベンチュリ３５は、リング３６に形成された溝３６ａに、プリント基板１８に設けられた通風用の孔１９の内側に設けられた複数の突起３７を嵌合させることで構成される。なお、ベンチュリ３５とは、ブレードの深さ方向の円周に位置するリング３６のブレード側の内側の部分を呼ぶ。ベンチュリを構成する別の手段として、リング３６をプリント基板１８と一体化して構成してもよい。
【００４２】
図９および図１０は本発明の第９の実施の形態を示す図で、図９はヒートシンク本体を示し、同図（ａ）は正面図、（ｂ）は（ａ）図のＺ矢視図、（ｃ）は（ｂ）のＹ矢視図であり、図１０はカバーを示し、（ａ）は上面図、（ｂ）は正面図、（ｃ）は側面図、（ｄ）は組立斜視図である。
【００４３】
本第９の実施の形態はヒートシンク本体４０とカバー４７とから構成され、ヒートシンク本体４０はアルミニュウム等の高熱伝導材料または熱伝導性の良い樹脂（例えば、ウエイクフィールドエンジニアリング（株）製の商品名Ａｍｏｃｏ  Ｘｙｄａｒ樹脂にカーボンファイバを混入したもの）で形成された矩形板状のヒートシンクベース４１に多数の角柱状のフィン４２が立設されている。そして、ヒートシンク本体４０の中央部には冷却ファンを埋設する空間が設けられ、且つその空間に対応して冷却ファンのブレード深さ方向の円周を囲んで位置されるような配置でベンチュリ４４が形成されている。ベンチュリ４４の先端には冷却ファンに対する通風孔が形成されており、その通風孔を所定の間隔を残して部分的に塞ぐ棒状フィン４５が形成されている。
【００４４】
ヒートシンクベース４１には（ｃ）に示すように、フィン４２の隙間を縫ってヒートパイプ１１が挿入保持され、本例ではその両側からヒートパイプ１１が突き合わせられ、且つ挿入保持されている。なお、ヒートシンクベース４１にはカバーとの結合のために複数のねじ孔４６が設けられている。
カバー４７はヒートシンクベースと同様の材料を用いて、図１０に示すようにヒートシンクベース４１の背部を覆うことができるように断面コの字形に形成され、冷却ファンがヒートシンク本体４０内に埋設される位置に対応した部分に通風孔４８および冷却ファンを固定するファン固定部４９が設けられている。また、複数の結合用孔５０がヒートシンクベース４１のねじ孔４６に対応して設けられ、図１０（ｄ）の如くヒートシンク本体４０にねじ５１で結合される。
【００４５】
図１０（ｄ）のように構成されたヒートシンク５２は、図１１に示される位置に配置される。つまり、ノートブック型コンピュータ等の筺体の５４のフレーム（側壁）に、補助ヒートシンク４３が露出するようにして配置される。このとき、冷却ファンが埋設されることで突出した補助ヒートシンク４３の高さ分は、装置のフレームの厚さにオーバーラップした状態で収納されていることから、発熱部品の上または近傍で必要であったヒートシンクの搭載場所が制限されることがなく、その実装部品のレイアウトに応じて自由に設置場所を選ぶことができる。またヒートシンク設置のための自由度が増すと共に、装置の小型化が可能である。
【００４６】
またヒートシンク５２に接続された２本のヒートパイプ１１はそれぞれ先端で発熱部品と熱伝導性に優れたプレートを介して接続され、発熱部品からの熱がこのヒートパイプ１１を経由してヒートシンク５２に伝わる。ヒートパイプ１１に接続される発熱部品の種類としてマイクロプロセッサであったり、ハードディスクであったりする。あるヒートパイプはマイクロプロセッサに接続され、残りのヒートパイプはハードディスクに接続されるように発熱部品の種類を変えてヒートパイプで接続してもよい。
【００４７】
図１１にて示されるヒートシンク５２は冷却ファン１２を駆動することで、ヒートシンク５２の背面（発熱部品側に位置する面）に通風孔４８が形成されているため、この通風孔４８から風を吸い込み、ヒートパイプ１１にて伝導された熱をヒートシンク５２内で冷却することができる。また、ヒートシンク５２の通風孔４８に到るまでのその流路途中にある装置内に実装された発熱ユニット５３を始めとするその他の発熱部品をも空冷することができる。この場合は装置内を冷却するための冷却ファンとヒートシンク５２内の冷却ファンとを共用することができ、より装置の小型化を実現できる。
【００４８】
図１２は本発明の第１０の実施の形態を示す図である。このヒートシンク５２は背面（発熱部品側に位置する面）に通風孔４８が設けられていない。この場合は、ヒートシンク５２のヒートパイプ１１が挿入された両端から風を吸い込む。但し両端から風を吸い込む場合はヒートシンク５２内のフィンによる風の流れの負荷が大きいのでフィンを間引く等の加工を行う必要がある。
【００４９】
図１３は本発明の第１１の実施の形態を示す図で、（ａ）は組立斜視図、（ｂ）は使用状態を示す図である。本第１１の実施の形態は、ヒートシンク本体４１の前部左右に通気用の孔５５を設け、且つこの通風用の孔５５に対応する位置、つまりヒートシンク５２を装置のフレームに埋め込んだときに通風用の孔５５と接する位置のフレームに、ヒートシンク本体への吸気孔を設けている。従って、ヒートシンク５２には装置の外部より常に新鮮な風を取り込むことができ、冷却効率が向上する。
【００５０】
図１４は本発明の第１２の実施の形態を示す図で、（ａ）は分解斜視図、（ｂ）は使用状態を示す図、（ｃ）は組立断面図である。本第１２の実施の形態は、ケーシング６０とカバー６１と熱輸送部材６２とより構成されている。そしてケーシング６０はアルミまたはアルミ合金等の熱伝導の良好な金属を用いてダイキャスト、冷間鍛造により形成されるか、または板金或いは熱伝導の良好な樹脂により形成され、内部には通風用の空間６０ａが、外周には熱輸送部材６２を収容する溝６０ｂが形成されている。
【００５１】
また、カバー６１は駆動モータ６３ａと羽根６３ｂとよりなる遠心式送風機６３を有しており、ねじまたはカシメ等によりケーシング６０に取り付けられる。また熱輸送部材６２は例えば熱伝導性の良い銅等の金属またはヒートパイブが用いられ、ケーシングの溝６０ｂに圧入または熱伝導性接着材で固着される。なお、圧入の場合には溝との隙間にサーマルグリースを充填してもよい。
【００５２】
そして、熱輸送部材６２の一端がＭＰＵ等の発熱部品６４にアルミ板６４ａ等を用いて接着またはカシメ等により固定される。このように構成された本実施の形態は、上部から空気を吸い込み側面から吐き出すようになっており、風圧の高いケーシング部６０で空気との熱交換面積を大きくできるため冷却性能が向上される。
【００５３】
図１５は本発明の第１３の実施の形態を示す図で、（ａ）はカバーを除いた状態の斜視図、（ｂ）は組立斜視図、（ｃ）は動作説明図である。本第１３の実施の形態は、ケーシング６０と横流式送風機６５とカバー６１と熱輸送部材６２とより構成されている。そしてケーシング６０はアルミまたはアルミ合金等の熱伝導の良好な金属を用いてダイキャスト、冷間鍛造により形成されるか、または熱伝導の良好な樹脂により形成され、横流式送風機６５を保持したベース６０ｃの一辺に該横流式送風機６５に沿う曲面を持つ壁体６０ｄが立設され、該壁体６０ｄの外側に熱輸送部材６２を収容する溝６０ｂが形成され、該溝６０ｂに熱輸送部材６２が圧入または熱伝導性接着材で固着される。なお６０ｅは通風用のガイドである。
【００５４】
そして、（ｃ）図の如く、横流式送風機６５は３面から空気を吸い込みこの３面の内の１面より吐き出すようになっている。このように本実施の形態は風の吸排気が側面部で行えるため、薄型化が可能となり，また前実施の形態と同様な効果を有する。
【００５５】
図１６は本発明の第１４の実施の形態を示す図で、（ａ）は組立斜視図、（ｂ）〜（ｄ）は（ａ）の変形例を示す図である。本第１４の実施の形態は、ケーシング６０を有する軸流式送風機６６と、該ケーシング６０の上に設けられた熱交換部６７と熱輸送部材６２とより構成されている。そして、ケーシング６０および熱交換部６７はアルミまたはアルミ合金等の熱伝導の良好な金属を用いてダイキャスト、冷間鍛造により形成されるか、または熱伝導の良好な樹脂により形成され、熱交換部６７は送風機６６の高さ方向に通風路６８が形成され、また該通風路６８の周囲に熱輸送部材６２を収容する溝６７ａが形成され、該溝６７ａに熱輸送部材６２が圧入または熱伝導性接着材で固着される。
【００５６】
なお、熱交換部６７は（ｂ）図または（ｃ）図の如く外周縁部を切り落として小型化しても良く、あるいは（ｄ）図の如く熱輸送部材６２を一周させても良い。このように構成された本実施の形態は熱交換部６７の内部に通風路を持つため、送風能力の低下を最小限にとどめ、機器内部の排気と熱輸送部材６２からの発熱を放熱できるため、機器の冷却効率の向上が可能となる。
【００５７】
図１７は本発明の第１５の実施の形態を示す図で、（ａ）は組立斜視図、（ｂ）は（ａ）図の断面図、（ｃ）は（ａ）図の変形例をを示す図である。本第１５の実施の形態は、軸流式送風機６６のケーシング６０を高さ方向に延長して熱交換部６７を形成し、この熱交換部６７の上面または側面に（ｂ）図または（ｃ）図に示すように通風路６８の外周に沿って溝を形成し、該溝に熱輸送部材６２を圧入または熱伝導性接着材で固着したものである。なお、ケーシング６０および熱交換部６７は前実施の形態と同様な材料で形成される。このように構成された本実施の形態は、熱交換部６７が送風機のケーシング６０と一体に形成されているため、接触熱抵抗がなくなり、冷却効率の向上が可能になる。
【００５８】
図１８は本発明の第１６の実施の形態を示す図で、（ａ）は組立斜視図、（ｂ）は（ａ）図のａ−ａ線における断面図である。本実施の形態は、前実施の形態の熱交換部を廃止して、軸流式送風機６６のケーシング６０の外周に溝６０ｂを形成して該溝６０ｂに熱輸送部材６２を圧入または熱伝導性接着材で固着したものである。なお、ケーシング６０は前実施の形態と同様な材料で形成される。このように構成された本実施の形態は、ケーシング６０の外周に熱輸送部材６２が固着されているため、高さを低くできる効果がある。
【００５９】
図１９は本発明の第１７の実施の形態を示す図で、（ａ）は組立斜視図、（ｂ）は（ａ）図のｂ−ｂ線における断面図、（ｃ）は変形例を示す斜視図である。本実施の形態は、軸流式送風機６６のケーシング６０を断面が偏平な熱輸送部材６２により形成し、軸流式送風機６６のカバー６１の通風路に冷却効果を向上するための凹凸６９を設けたものである。また（ｃ）図はカバー６１を４角形としてその４隅をケーシング６０に嵌合させたものである。このように構成された本実施の形態は熱輸送部材６２がファンのケーシングを兼ねているため小型化が可能になる。
【００６０】
図２０は本発明の第１８の実施の形態を示す斜視図である。本実施の形態は、放熱フィン７０を有するケーシング６０とファンを持ったファン内蔵ヒートシンク７１の側面に溝を設けて、該溝に熱輸送部材６２を固着したものである。このように構成された本実施の形態はファン内蔵ヒートシンク７１の側面に熱輸送部材６２が固着されているため、接触熱抵抗を低減でき、冷却効率の向上が可能となる。
【００６１】
図２１は本発明の第１９の実施の形態を示す図であり、（ａ）は斜視図、（ｂ）はケーシングの斜視図、（ｃ）は（ａ）図の一部断面図である。本実施の形態は、第１２，１３，１６の各実施の形態のケーシング６０を、溝部分において水平に２分割したもので、他は同様である。本実施の形態は熱輸送部材６２の組付けが容易となり、製造性、組立性が向上し低コスト化に寄与することができる。
【００６２】
図２２は本発明の第２０の実施の形態を示す図であり、（ａ）〜（ｅ）は第１２，１４，１５，１６，１９の各実施の形態のケーシングまたは熱交換部材を示す図である。本実施の形態は第１２，１４，１５，１６，１９の各実施の形態において、（ａ）図の如く、熱輸送部材６２を予め円形または円形の一部となるように形成しておき、ケーシングまたは熱交換部材に固着したものである。本実施の形態によれば熱交換の面積が向上するため、冷却効率の向上が可能となる。
【００６３】
図２３は本発明の第２１の実施の形態を示す図である。本実施の形態は、前記第１３〜１７および１９〜２１の実施の形態において、その熱輸送部材６２を固着するケーシング６０または熱交換部材６７の溝の断面を（ａ），（ｂ）または（ｃ）図に示すように半円形にしたものである。本実施の形態によれば熱交換の面積が向上するため、冷却効率の向上が可能となる。
【００６４】
図２４は本発明の第２２の実施の形態を示す図である。本実施の形態は、前記第１３〜１７および１９〜２１の実施の形態において、その熱輸送部材６２の断面を矩形とし、ケーシング６０または熱交換部材６７の溝の断面を（ａ），（ｂ）または（ｃ）図に示すように熱輸送部材６２の断面に沿う形状としたものであり、本実施の形態によれば熱交換の面積が向上するため、冷却効率の向上が可能となる。
【００６５】
図２５は本発明の第２３の実施の形態を示す図であり、（ａ）は斜視図、（ｂ）はカバーを除去して示した斜視図である。本実施の形態は、第１２，１３の実施の形態において、送風機の吐き出し口近傍にケーシング６０と同材料で放熱フィン７０を形成したものである。本実施の形態によれば、吐き出し風を放熱フィン７０に当てることができるため冷却効率の向上が可能となる。
【００６６】
図２６は本発明の第２４の実施の形態を示す図であり、（ａ）は斜視図、（ｂ）は作用説明図である。本実施の形態は、第１２，１３，２３の各実施の形態において、送風機の風圧の高い方のケーシングとそれに続く部分の側面だけに熱輸送部材６２との熱交換部を設け、反対側の側面をカットしたもので或る。本実施の形態によれば、送風機の風圧が高く、冷却効率の高い部分に熱輸送部材６２との熱交換部を設けることで、性能の低下を最小限に抑えながら小型化が可能となる。
【００６７】
図２７は本発明の第２５の実施の形態を示す図であり、（ａ）はカバーを除去して示した斜視図、（ｂ）は側面図である。本実施の形態は、第１２，２３，２４の各実施の形態において、放熱フィン７０の高さを要求する吸い込み部７１のエアギャップＡが確保できる高さまで高くしたものである。本実施の形態によれば、風の吸い込みに必要な部分のみ開放し、不要な部分を放熱面積の増加に利用できるため冷却効率の向上が可能となる。
【００６８】
図２８は本発明の第２６の実施の形態を示す断面図である。本実施の形態は、第２４，２５の各実施の形態において、放熱フィン７０を設けた部分の底面のベース厚さを熱輸送部材６２との熱交換部付近を厚くし、遠ざかるにしたがって薄く変化させたものである。本実施の形態によれば、高温の熱交換部の熱を他方への拡散、伝導が行えるため冷却効率の向上が可能となる。
【００６９】
図２９は本発明の第２７の実施の形態を示す図であり、（ａ）はカバーを除去して示した斜視図、（ｂ）は一部拡大図である。本実施の形態は、第２３〜２６の各実施の形態において、送風機の吐き出し口部を除くケーシング６０の内周の側面および放熱フィンを設けた部分の外郭内面部に凹凸状の放熱部７２を設けたものである。（ｂ）図は放熱部７２の他の例である。本実施の形態によれば、送風機の風圧が最も高いところと高温の熱交換部に最も近いところで、凹凸状の放熱部によって乱流を発生するので冷却効率の向上が可能となる。
【００７０】
図３０は本発明の第２８の実施の形態をカバーを除去して示した平面図である。本実施の形態は、第２３〜２７の各実施の形態において、送風機の吐き出し口近傍に吐き出し風の方向に対してフィン間を結んだ線が平行となるように放熱フィン７０を配設したものである。本実施の形態によれば、風の方向に対して抵抗が小さくなるため通風量が増えることにより冷却効率の向上が可能となる。
【００７１】
図３１は本発明の第２９の実施の形態をカバーを除去して示した平面図である。本実施の形態は、第２３〜２７の各実施の形態において、送風機の吐き出し口近傍に吐き出し風の方向に対して放熱フィン７０をランダムに配設したものである。本実施の形態によれば、風の流れに対して抵抗は増えるが乱流により冷却効率の向上が可能となる。
【００７２】
図３２は本発明の第３０の実施の形態を示す図であり、（ａ）は斜視図、（ｂ）は使用状態を示す図である。本実施の形態は、第２３〜２８の各実施の形態において、（ａ）図の如く送風機の吸い込み口に、機器筐体の外部空気と内部空気の吸い込み割合をきめるため外部空気吸い込み用口７３ａと内部空気吸い込み用口７３ｂとを有するガイド７３を設けたもので、（ｂ）図の如く機器筐体７４に取り付けられて用いられる。
【００７３】
本実施の形態によれば、図３３（ａ）に示すように、ＭＰＵ等の発熱部品の発熱が大きく、筐体内部の温度が低い場合は、（ｂ）図に示すように外気の吸い込み量を多くし、筐体内部からの吸い込み量を少なくし、反対に（ｃ）図の如くＭＰＵ等の発熱部品の発熱が少なく、筐体内部の温度が高い場合は、（ｄ）図に示すように外気の吸い込み量を少なくし、筐体内部からの吸い込み量を多くすることにより、比較的温度の低い外部空気を取り入れることで冷却効率を上げ、機器の冷却効率の向上が可能となる。
【００７４】
図３４は本発明の第３１の実施の形態をカバーを除去して示した斜視図である。本実施の形態は、第２３〜２９の実施の形態において、送風機の吐き出し口付近にある放熱フィン７０形成部の送風機の高風圧側に、風の方向に沿って縁を内側に張出した形状７４としたものである。本実施の形態によれば、送風機の風の弱い場所（デッドゾーン）に張り出し部を形成したため送風能力の低下を最小限にしながら該部にねじ孔７５等を設けてカバーの固定が可能となる。
【００７５】
図３５は本発明の第３２の実施の形態をカバーを除去して示した斜視図である。本実施の形態は、第２３〜３０の実施の形態において、送風機の吐き出し口付近にある放熱フィン７０形成部の送風機の低風圧側の側面に風の通過する孔７６を設けたものである。本実施の形態によれば、熱交換に関係のない場所で送風機からの風が通過する開口面積を大きくすることができるため冷却効率の向上が可能となる。
【００７６】
図３６は本発明の第３３の実施の形態を示す斜視図である。本実施の形態は、情報処理機器の実装構造に関し、機器７７のコーナ部の一方の面にヒートシンク７８の吸い込み口７９を配設し、他方の面に吐き出し口８０を配設したものである。本実施の形態によれば、ヒートシンクを筐体のコーナに配置しているためエアダクトが不要になり、機器の低コスト化に寄与できる。
【００７７】
図３７は本発明の第３４の実施の形態を示す斜視図である。本実施の形態は、第１５の実施の形態において、熱交換部６７の近傍の縁に放熱用の放熱フィン７０を配設したものである。本実施の形態によれば高温の熱交換部６７に最も近いところに、放熱用のフィン７０があり、送風機の近傍の渦状の風（旋回流）が当たるため冷却効率の向上が可能となる。
【００７８】
図３８は本発明の第３５の実施の形態を示す斜視図である。本実施の形態は、第１４，１５の実施の形態において、送風機部の羽根８１から熱交換部６７までの間にエアギャップＡを設けたものである。本実施の形態によれば送風機部の羽根８１から熱交換部６７までの間にエアギャップＡを設けているため、低騒音化が可能となる。
【００７９】
図３９は本発明の第３６の実施の形態を示す図であり、（ａ）は斜視図、（ｂ）はファンの斜視図、（ｃ）は断面図、（ｄ）はフィンの他の例を示す図である。本実施の形態は、発熱部品からの熱を伝える熱輸送部材６２を固着して熱交換を行う熱交換部６７および軸流式送風機６６で構成され、送風機６６の側面に熱交換部６７の一部を配置し、同じく熱交換部６７の放熱フィン７０を送風機６６の吸い込み口または吐き出し口８０に配置させたものである。本実施の形態によれば熱交換部６７の内部に通風路を持つため、送風能力の低下を最小限に、機器内部の排気と熱輸送部材６２からの発熱を放熱できるため、機器の冷却効率の向上が可能となる。
【００８０】
図４０は本発明の第３７の実施の形態を示す図であり、（ａ）はカバーを除去した状態の斜視図、（ｂ）はカバーを除去した状態の平面図、（ｃ）は機器内での実装位置を説明するための図である。本実施の形態は、（ａ）および（ｂ）図に示すように熱伝導の良好な樹脂または金属で形成されたケーシング６０の長手方向左右に壁が設けられ、その間に横流式送風機６５が配置され、一方の壁の内側に送風機の羽根に近接した導風用の突起６０ｆが設けられ、且つ左右の壁に溝６０ｂが設けられて熱輸送部材６２が圧入または接着されている。
【００８１】
そして、横流式送風機６５は矢印Ａの如く空気を吸い込み他方より矢印Ｂの如く吐き出す。このように本実施の形態のヒートシンク９０は空気を吸い込み方向と吐き出し方向が一直線となっているため、（ｃ）図に示すように機器内の内壁に沿っていれば何処にでも設置可能であり、機器９１内での実装位置の制限が少なくなる。
【００８２】
図４１は本発明の第３８の実施の形態を示す図であり、（ａ）はカバーを除去した状態の斜視図、（ｂ）は断面図、（ｃ）は性能曲線図である。本実施の形態は、図２５で説明した第２３の実施の形態のとほぼ同様であり、異なるところは、放熱フィン７０を直線状とし、且つその放熱フィン７０の高さを低くしフィン７０の上部に空間を設けたものである。
【００８３】
そして（ｂ）図の如く、ケーシング６０内の空間高さをＨ、フィン７０の高さをｈとして、（ｃ）図の如く、フィン７０の高さｈを横軸に、性能を縦軸にとると性能曲線は曲線Ａの如くになり、フィン７０の上部にある程度の空間を設けた方が空間が無い場合より性能が向上する。これは空気の流量が増加するためである。
【００８４】
図４２は本発明の第３９の実施の形態を示す斜視図である。本実施の形態は、図２５で説明した第２３の実施の形態とほぼ同様であり、異なるところは、ケーシング６０の外側に沿わしてパイプ状の熱輸送部材６２を設けるとき、該熱輸送部材６２の加工可能な最小曲率半径となるようにケーシング６０を形成したことである。これにより熱輸送部材６２とケーシング６０との接触面積が増大し、冷却性能が向上する。
【００８５】
図４３は本発明の第４０の実施の形態を示す斜視図である。本実施の形態は図１４で説明した第１２の実施の形態とほぼ同様であり、異なるところは、ケーシング６０の底部を除去しファンの羽根径より大きい穴６０ｇを設け、該穴にファンの羽根の一部が挿入されるようにしたことである。そして、ケーシング６０の底部を除去したことによりその分ケーシング６０の高さを低くでき薄型化が可能となる。
【００８６】
図４４は本発明の第４１の実施の形態を示す図であり、（ａ）は裏面から見た斜視図、（ｂ）は（ａ）図のｂ−ｂ線における断面図、（ｃ）はすきまの大小と性能の関係を示した性能曲線図である。本実施の形態は前実施の形態とほぼ同様であり、異なるところはケーシング６０の底面に複数の突起６０ｈを設けたことである。なお、この突起６０ｈはケーシング６０と一体に形成されたものでも、別体のスペーサを接着したものでも良い。そして（ｂ）図の如く、構造体９２の上に搭載したときすきまｗが生じ、空気が流通するため（ｃ）図の如く、すきまｗがある程度までは性能が向上する。
【００８７】
図４５は本発明の第４２の実施の形態を示す図である。本実施の形態は図４３で説明した第４０の実施の形態とほぼ同様であり、異なるところは、第４０の実施の形態のパイプ状熱輸送部材６２をフラット型熱輸送部材６２′に変えたことである。そして、フラット型熱輸送部材６２′は（ａ）図の如く、ケーシング６０の底部左右に嵌合溝９３，９３′を形成し、この嵌合溝９３，９３′にフラット型熱輸送部材６２′を挿入し結合するか、または（ｂ）図に示すように、フラット型熱輸送部材６２′左右に立ち上がり部９４，９４′を設けて熱輸送領域９３を形成し、この熱輸送領域９５にケーシング６０を装着したものである。これにより、熱輸送部材がフラットであるためケーシングとの接触面積が大となり、従って熱輸送部材の熱輸送量も大となり冷却性能は向上する。
【符号の説明】
【００８８】
１０    ヒートシンク本体
１１    ヒートパイプ
１２    冷却ファン
１３    ヒートパイプ収納部
１４    フィン
１５    箱
１８    プリント基板
２６    軸受ハウジング
３１，４７    カバー
３５，４４    ベンチュリ
３６    リング
４０    ヒートシンク本体
４１    ヒートシンクベース
４２    フィン
４５    棒状フィン
５２    ヒートシンク
５４    フレーム
６０    ケーシング
６１    カバー
６２    熱輸送部材
６３    遠心式送風機
６４    発熱部品
６５    横流式送風機
６６    軸流式送風機
６７    熱交換部
６８    通風路
６９    凹凸
７０    放熱フィン
７３    ガイド
７９    吸い込み口
８０    吹き出し口
【図１】
2010177680.tif 000003
【図２】
2010177680.tif 000004
【図３】
2010177680.tif 000005
【図４】
2010177680.tif 000006
【図５】
2010177680.tif 000007
【図６】
2010177680.tif 000008
【図７】
2010177680.tif 000009
【図８】
2010177680.tif 000010
【図９】
2010177680.tif 000011
【図１０】
2010177680.tif 000012
【図１１】
2010177680.tif 000013
【図１２】
2010177680.tif 000014
【図１３】
2010177680.tif 000015
【図１４】
2010177680.tif 000016
【図１５】
2010177680.tif 000017
【図１６】
2010177680.tif 000018
【図１７】
2010177680.tif 000019
【図１８】
2010177680.tif 000020
【図１９】
2010177680.tif 000021
【図２０】
2010177680.tif 000022
【図２１】
2010177680.tif 000023
【図２２】
2010177680.tif 000024
【図２３】
2010177680.tif 000025
【図２４】
2010177680.tif 000026
【図２５】
2010177680.tif 000027
【図２６】
2010177680.tif 000028
【図２７】
2010177680.tif 000029
【図２８】
2010177680.tif 000030
【図２９】
2010177680.tif 000031
【図３０】
2010177680.tif 000032
【図３１】
2010177680.tif 000033
【図３２】
2010177680.tif 000034
【図３３】
2010177680.tif 000035
【図３４】
2010177680.tif 000036
【図３５】
2010177680.tif 000037
【図３６】
2010177680.tif 000038
【図３７】
2010177680.tif 000039
【図３８】
2010177680.tif 000040
【図３９】
2010177680.tif 000041
【図４０】
2010177680.tif 000042
【図４１】
2010177680.tif 000043
【図４２】
2010177680.tif 000044
【図４３】
2010177680.tif 000045
【図４４】
2010177680.tif 000046
【図４５】
2010177680.tif 000047